(57)【特許請求の範囲】
【請求項１】
一方の端面から他方の端面まで延びる複数のセルを区画形成する隔壁を有するハニカム構造部と、
前記一方の端面の前記セルに対して所定の配設基準に従って目封止し、前記他方の端面の残余の前記セルに対して前記配設基準に従って目封止した複数の目封止部と
を備える目封止ハニカム構造体であって、
前記ハニカム構造部は、
前記一方の端面または前記他方の端面のいずれか一方における前記隔壁が交差する隔壁交点部の少なくとも一部に形成され、前記隔壁交点部に相当する位置に互いに対向する、前記一方の端面側または前記他方の端面側に開口する一対の前記セルの間を連通し、流体の流通を可能とする流通孔部を更に備え、
前記流通孔部の最小孔幅の位置で内接する第一仮想内接円の直径を、互いに対向する前記目封止部の間の最小目封止幅の位置で内接する第二仮想内接円の直径で除した値が、０．０５〜０．７４の範囲であり、
前記目封止部を構成する四つのそれぞれの角に所定の曲率半径で面取りされた交点部を備え、
前記目封止部の設けられていない前記セルの前記流通孔部と連通していない角は、前記面取りがされていない目封止ハニカム構造体。
【請求項２】
前記流通孔部の孔壁から前記目封止部の交点部までの間の交点部隔壁厚さの最小距離が、前記隔壁の隔壁厚さの１／２以上である請求項１に記載の目封止ハニカム構造体。
【請求項３】
前記流通孔部の形成された前記隔壁交点部は、
前記一方の端面または前記他方の端面における前記隔壁交点部の全数に対して、１０％以上、５０％以下の範囲である請求項１または２に記載の目封止ハニカム構造体。
【請求項４】
前記セルは、
最大で三つの前記流通孔部と接続し、それぞれ互いに対向する前記セルの間を連通する請求項１〜３のいずれか一項に記載の目封止ハニカム構造体。
【請求項５】
前記セルは、
一つのみの前記流通孔部と接続し、互いに対向する前記セルの間を連通する請求項１〜３のいずれか一項に記載の目封止ハニカム構造体。
【請求項６】
前記ハニカム構造部は、
コージェライト成分または炭化珪素成分を含んで形成される請求項１〜５のいずれか一項に記載の目封止ハニカム構造体。
【請求項７】
前記ハニカム構造部は、
気孔率が３０％〜８０％の範囲、平均細孔径が５μｍ〜３０μｍの多孔質セラミックス材料である請求項１〜６のいずれか一項に記載の目封止ハニカム構造体。
【発明の詳細な説明】
【技術分野】
【０００１】
本発明は、目封止ハニカム構造体に関する。更に詳しくは、排気ガス浄化装置や微粒子捕集フィルタ等に用いられ、セルの一部を目封止した目封止部を備える目封止ハニカム構造体に関する。
【背景技術】
【０００２】
従来、自動車のエンジン等の内燃機関から排出される排気ガスの中には、一酸化炭素（ＣＯ）、炭化水素（ＨＣ）、及び窒素酸化物（ＮＯｘ）などの有害物質が含まれている。自然環境や人体等に対する影響があるため、このような有害物質をそのまま大気中に放出することはできない。そこで、排気ガスの排出流路の途中に、上記有害物質を除去し、浄化するための排気ガス浄化装置（または微粒子捕集フィルタ）が一般に設けられている。
【０００３】
排気ガス浄化装置には、例えば、多孔質セラミックス材料で形成されたハニカム構造体を触媒担体として使用し、当該ハニカム構造体の隔壁に、ＳＣＲ触媒等を担持したハニカム触媒体が用いられている。ここで、触媒担体としてのハニカム構造体は、一方の端面から他方の端面まで延びる、流体の流路として形成される複数のセルを区画形成する多孔質の隔壁を備えている。更に、一方の端面のセルに対して所定の配設基準に従って目封止部が形成され、他方の端面の残余のセルに対して同様に目封止部が形成されている。
【０００４】
上記構成の目封止ハニカム構造体を排気ガス浄化装置に使用することで、排気ガスは目封止ハニカム構造体の一方の端面の目封止部の設けられていないセルから内部に流入し、隔壁を通過して、最終的に他方の端面の目封止部の設けられていないセルから外部に排出される。このとき、排気ガスは多孔質性の隔壁内部を通過するため、当該隔壁が濾過材として機能し、排気ガス中に含まれる微粒子が隔壁内部及び隔壁表面に捕集される。
【０００５】
これにより、排気ガスから微粒子を除去することができる。ここで、目封止ハニカム構造体による微粒子の捕集を継続すると、隔壁表面に多くの微粒子が堆積し、排気ガスの流通性を阻害する。その結果、排気ガスの流入側（一方の端面側）と流出側（他方の端面側）との間で圧力の差が生じ、所謂圧力損失が発生する。これにより、排気ガスの良好な流通が損なわれ、燃費（出力）が悪化する。
【０００６】
そこで、一定の時間または量の排気ガスを処理した後は、隔壁表面に主に堆積した微粒子を、例えば、燃料を噴射して大気中に含まれる酸素と反応させ、二酸化炭素にガス化して除去する微粒子の除去処理が行われている。
【０００７】
すなわち、目封止ハニカム構造体を使用した排気ガス浄化装置は、隔壁に堆積した微粒子を加熱して除去する処理が必須となり、隔壁への堆積量が多い場合、微粒子の除去処理の頻度が増えることとなった。その結果、燃費が低下することがあった。加えて、加熱によって微粒子を除去する際に、隔壁に堆積した全ての微粒子をガス化することは困難であり、その一部は、アッシュ（灰分）として隔壁表面に依然として残存する可能性があった。
【０００８】
更に、目封止ハニカム構造体は、一方の端面及び他方の端面の一部のセルがそれぞれ目封止されているため、通常のハニカム構造体と比較して排気ガスの処理前の初期状態における圧力損失が当初から大きくなる傾向が大きかった。
【０００９】
そこで、排気ガス中に含まれる微粒子を除去する目封止構造体として、特別な機構や装置等を必要となることなく、隔壁に堆積した微粒子の除去及び微粒子の除去後のアッシュの残存量を少なくすることが可能なハニカム構造体が提案されている（特許文献１参照）。
【００１０】
これによると、隔壁と隔壁とが格子状に交差する隔壁交点部位の少なくとも一部において、隔壁交点部位に相当する部分の隔壁が存在しない「交点なし部」を備えている。交点なし部を備えることで、排気ガス浄化装置等に使用した場合の圧力損失の上昇を抑え、加熱による微粒子の除去処理の頻度を少なく抑えることができる。
【先行技術文献】
【特許文献】
【００１１】
【特許文献１】特開２００４−１３２２６６号公報
【発明の概要】
【発明が解決しようとする課題】
【００１２】
しかしながら、近年において、ディーゼルエンジン等から排出される排気ガスに対する種々の規制が厳格に強化されている。そのため、排出される排気ガスに含まれる微粒子の除去、及び排気ガス中の有害物質の浄化を高効率で実現することができ、初期状態及び使用後の圧力損失の低減化が可能なハニカム構造体の開発が進められている。
【００１３】
そこで、本発明は、上記実情に鑑み、排気ガス浄化装置等として使用する場合において、微粒子の捕集効率、及び有害物質の浄化効率を高く維持するとともに、圧力損失の低減化を図った目封止ハニカム構造体の提供を課題とするものである。
【課題を解決するための手段】
【００１４】
［１］  一方の端面から他方の端面まで延びる複数のセルを区画形成する隔壁を有するハニカム構造部と、前記一方の端面の前記セルに対して所定の配設基準に従って目封止し、前記他方の端面の残余の前記セルに対して前記配設基準に従って目封止した複数の目封止部とを備える目封止ハニカム構造体であって、前記ハニカム構造部は、前記一方の端面または前記他方の端面のいずれか一方における前記隔壁が交差する隔壁交点部の少なくとも一部に形成され、前記隔壁交点部に相当する位置に互いに対向する、前記一方の端面側または前記他方の端面側に開口する一対の前記セルの間を連通し、流体の流通を可能とする流通孔部を更に備え、前記流通孔部の最小孔幅の位置で内接する第一仮想内接円の直径を、互いに対向する前記目封止部の間の最小目封止幅の位置で内接する第二仮想内接円の直径で除した値が、０．０５〜０．７４の範囲であり、前記目封止部を構成する四つのそれぞれの角に所定の曲率半径で面取りされた交点部を備え、前記目封止部の設けられていない前記セルの前記流通孔部と連通していない角は、前記面取りがされていない目封止ハニカム構造体。
【００１５】
［２］  前記流通孔部の孔壁から前記目封止セルの交点部までの間の交点部隔壁厚さの最小距離が、前記隔壁の隔壁厚さの１／２以上である前記［１］に記載の目封止ハニカム構造体。
【００１６】
［３］  前記流通孔部の形成された前記隔壁交点部は、前記一方の端面または前記他方の端面における前記隔壁交点部の全数に対して、１０以上、５０％以下の範囲である前記［１］または［２］に記載の目封止ハニカム構造体。
【００１７】
［４］  前記セルは、最大で三つの前記流通孔部と接続し、それぞれ互いに対向する前記セルの間を連通する前記［１］〜［３］のいずれかに記載の目封止ハニカム構造体。
【００１８】
［５］  前記セルは、一つのみの前記流通孔部と接続し、互いに対向する前記セルの間を連通する前記［１］〜［３］のいずれかに記載の目封止ハニカム構造体。
【００１９】
［６］  前記ハニカム構造部は、コージェライト成分または炭化珪素成分を含んで形成される前記［１］〜［５］のいずれかに記載の目封止ハニカム構造体。
【００２１】
［７］  前記ハニカム構造部は、気孔率が３０％〜８０％の範囲、平均細孔径が５μｍ〜３０μｍの多孔質セラミックス材料である前記［１］〜［６］のいずれかに記載の目封止ハニカム構造体。
【発明の効果】
【００２２】
本発明の目封止ハニカム構造体によれば、セル同士を連通する流通孔部を設けることで、目封止ハニカム構造体の開口率や幾何学的表面積を増加させることができ、初期状態及び煤等の微粒子が付着した状態の圧力損失の低減化を図ることができる。
【００２３】
加えて、流通孔部の孔幅を最適値とすることで、更に幾何学的表面積等を増加させることが可能となり、排気ガス等の流体との接触面積を増やし、浄化効率の向上を図ることができる。
【図面の簡単な説明】
【００２４】
【図１】本実施形態の目封止ハニカム構造体の概略構成を示す平面図である。
【図２】目封止ハニカム構造体の概略構成を示す図１のＡ−Ａ’線縮小断面図である。
【図３】目封止ハニカム構造体の概略構成を示す図１の一部拡大平面図である。
【図４】二つの流通孔部で三つのセルが接続された目封止ハニカム構造体の別例構成を示す平面図である。
【図５】流通孔部を交互に配した目封止ハニカム構造体の別例構成を示す平面図である。
【図６】正六角形状のセルを備える目封止ハニカム構造体の別例構成を示す平面図である。
【図７】「流通孔部の孔幅」を「交点Ｒ＝０ｍｍのときの交点幅」で除した値に対する入口ＯＦＡ、及び出口の交点部の曲率半径Ｒの相関関係を示すグラフである。
【図８】「流通孔部の孔幅」を「交点Ｒ＝０ｍｍのときの交点幅」で除した値に対する圧力損失（初期）の相関関係を示すグラフである。
【図９】「流通孔部の孔幅」を「交点Ｒ＝０ｍｍのときの交点幅」で除した値に対する入口ＧＳＡ、及び出口の交点部の曲率半径Ｒの相関関係を示すグラフである。
【図１０】「流通孔部の孔幅」を「交点Ｒ＝０ｍｍのときの交点幅」で除した値に対する圧力損失（煤）の相関関係を示すグラフである。
【発明を実施するための形態】
【００２５】
以下、図面を参照しつつ、本発明の目封止ハニカム構造体の実施の形態の一例について説明する。なお、本発明は、以下の実施の形態に特に限定されるものではなく、本発明の趣旨を逸脱しない範囲において、変更、修正、及び改良等を加えることができる。
【００２６】
１．目封止ハニカム構造体
本発明の一実施形態の目封止ハニカム構造体１は、図１及び図２に示すように、一方の端面２ａから他方の端面２ｂまで延びる複数のセル３を区画形成する隔壁４を有するハニカム構造部５と、一方の端面２ａのセル３に対して所定の配設基準に従って目封止し、他方の端面２ｂの残余のセル３に対して所定の配設基準に従って目封止した複数の目封止部６とを備えるものである。
【００２７】
ここで、目封止部６を配設する配設基準は、それぞれのセル３に対して一つおきに交互に目封止部６を配した、所謂「市松模様（またはチェッカーボードパターン）」が採用されている。更に、本実施形態の目封止ハニカム構造体１は、格子状（十字状）の隔壁４を有し、セル３が正四角形状に形成されている。なお、目封止ハニカム構造体１の構造自体は既に周知の構成であるため、その詳細については説明を省略する。
【００２８】
本実施形態の目封止ハニカム構造体１の特徴的な構造として、一方の端面２ａまたは他方の端面２ｂのいずれか一方において、隔壁４と隔壁４とが互いに交差する隔壁交点部７の少なくとも一部に、当該隔壁交点部７の相当する位置の隔壁４の一部が存在せず、互いに対向する、一方の端面２ａ側または他方の端面２ｂ側に開口する一対のセル３の間を連通し、排気ガス等の流体の流通を可能とする流通孔部８を備えている。なお、一方の端面２ａ側を流体の入口側とし、他方の端面２ｂ側を流体の出口側とした場合、流通孔部８は、入口側のセル（入口セル）同士を連通した「入口−入口セル」、または出口側のセル（出口セル）同士を連通した「出口−出口セル」にのみ、それぞれ配置されている。
【００２９】
流通孔部８は、一方の端面２ａから他方の端面２ｂに沿って（または、他方の端面２ｂから一方の端面２ａ）に沿って、目封止ハニカム構造体１の軸方向（図１における紙面奥行方向に相当）に延び、他方の端面２ｂ（または一方の端面２ａ）に設けられた目封止部６に到達するまで形成されている。すなわち、本実施形態の目封止ハニカム構造体１は、対角線上に配された一対のセル３の間を接続する流通孔部８を有し、双方のセル３の間を自由に排気ガス等の流体が流れることができる。
【００３０】
更に具体的に説明すると、流通孔部８は、一定の孔幅Ｗによって離間し、互いに平行な直線状の孔壁９ａ，９ｂによって構成され、孔壁９ａ，９ｂの間に空間が形成された溝状の構造のものである（図３参照）。
【００３１】
流通孔部８の形状は、図示した直線状の孔壁９ａ，９ｂから形成されるものではなく、孔壁の間の空間に対して、例えば、凸状に湾曲した湾曲面から形成されているものなど、一対のセル３の間の流体の流通が可能なものであれば構わない。なお、本実施形態の目封止ハニカム構造体１のように、直線状の孔壁９ａ，９ｂに形成された場合、一定の孔幅Ｗが本発明における最小孔幅に相当する。一方、上記の凸状に湾曲した湾曲面から形成された場合、当該湾曲面の頂部の間の距離が最小孔幅に相当する。
【００３２】
また、流通孔部８における流体の流れ方向Ｆ（図３参照）にそれぞれ直交する位置に、一対の目封止部６が配されている。ここで、目封止部６は、一方の端面２ａ（または他方の端面２ｂ）のセル３から所定量の目封止材を充填し、乾燥させることにより、一方の端面２ａ（または他方の端面２ｂ）から一定深さまで充填して形成されている。
【００３３】
形成された目封止部６は、略四角形状を呈し、四つのそれぞれの角に所定の曲率半径Ｒで面取りされた交点部１０（以下、「曲率半径Ｒの交点部」を“交点Ｒ”と記載することもある。）を有している。すなわち、目封止部６が上記交点部１０を有することにより、流通孔部８の孔壁９ａ，９ｂから目封止部６までの距離を、交点部１０が存在しない場合と比べて長くすることができる。なお、本発明の目封止ハニカム構造体において、目封止部は、上記の略四角形状に限定されるものではなく、正四角形状を呈するものであっても構わない。
【００３４】
これにより、隔壁交点部７において、流通孔部８以外の隔壁４の部分、換言すると、流通孔部８の孔壁９ａ，９ｂから目封止部６の交点部１０までの交点部隔壁厚さＴ２を広くすることができる。
【００３５】
本実施形態の目封止ハニカム構造体１の場合、上記交点部隔壁厚さＴ２の最短距離が、目封止ハニカム構造体１の隔壁４の隔壁厚さＴ１の１／２以上となるように設計されている。その結果、流通孔部８を有する本実施形態の目封止ハニカム構造体１の強度の低下を抑制することができる。
【００３６】
更に、本実施形態の目封止ハニカム構造体１は、流通孔部８の最小孔幅（孔幅Ｗに相当）の位置で内接する第一仮想内接円Ｃ１（図３における円内にハッチングが施された実線円参照）の直径Ｄ１を、互いに対向する目封止部６の間（特に、交点部１０の間）の最小目封止幅の位置で内接する第二仮想内接円Ｃ２（図３における破線円参照）の直径Ｄ２で除した値が、０．０５〜０．７４の範囲に設定される。
【００３７】
すなわち、直径比（＝Ｄ１／Ｄ２）を上記範囲とすることにより、隔壁交点部７における流通孔部８の孔幅Ｗと、それ以外の隔壁４の部分の厚さとをそれぞれ規定することができる。
【００３８】
本実施形態の目封止ハニカム構造体１は、一方の端面２ａ（または他方の端面２ｂ）において、それぞれのセル３を連結させているだけであるため、捕集効率を悪化させることはない。一方、一方の端面２ａ及び他方の端面２ｂまで延びるセル３は、それぞれ隔壁４によって分離されているため、排気ガス等の流体は従来の通り捕集される。その結果、従来の目封止ハニカム構造体と同様に排気ガス中に含まれる煤等の微粒子の捕集効率に大きな影響を及ぼすことがない。
【００３９】
更に、一対のセル３を流通孔部８で接続した構成とすることにより、目封止ハニカム構造体１の一方の端面２ａ（または他方の端面２ｂ）における開口率ＯＦＡ、或いは幾何学的表面積ＧＳＡを向上させることができる。
【００４０】
その結果、排気ガス等の流体を処理する際の初期状態の目封止ハニカム構造体１の圧力損失、及び、使用時の煤等が付着した目封止ハニカム構造体１の圧力損失を低減化することができる。
【００４１】
すなわち、開口率ＯＦＡを広くすることで、目封止ハニカム構造体１の内部に流入する流体量を大きくすることができるとともに、圧力損失の低減化が可能となる。特に、排気ガスを処理する場合、処理時間に応じて徐々に煤等の微粒子が隔壁４の内部及び表面に堆積する。
【００４２】
この場合、一対のセル３の間に流通孔部８が設けられているため、微粒子を捕集する幾何学的表面積ＧＳＡを大きくなり、微粒子が一部に偏って堆積する可能性が低くなる。そのため、圧力損失の低減化が図られる。
【００４３】
更に、幾何学的表面積ＧＳＡが増大することにより、排気ガス等の流体との接触面積が増加する。これにより、触媒担体として用いた場合の当該触媒との接触機会が増えることとなり、浄化性能の向上が期待される。
【００４４】
特に、第一仮想内接円Ｃ１の直径Ｄ１及び第二仮想内接円Ｃ２の直径Ｄ２の値を上記条件の範囲に規定することにより、目封止ハニカム構造体１の強度を維持するとともに、良好な開口率ＯＦＡ及び幾何学的表面積ＧＳＡで規定した流通孔部８の孔幅Ｗの最適値に設定することができる。
【００４５】
更に、本実施形態の目封止ハニカム構造体１の場合、一対のセル３が一つの流通孔部８のみによって接続されている。そのため、図１及び図３に示すように、一方の端面２ａにおける隔壁交点部７において、上記流通孔部８が形成された隔壁交点部７（以下、「形成隔壁交点部７ａ」と称す。）と、当該流通孔部８が形成されていない隔壁交点部７（以下、「非形成隔壁交点部７ｂ」と称す。）とが存在する。
【００４６】
ここで、一方の端面２ａ（または他方の端面２ｂ）における隔壁交点部７の全数（形成隔壁交点部７ａ＋非形成隔壁交点部７ｂの合計）に対して、形成隔壁交点部７ａの数が、１０％以上、５０％以下になるように設定される。ここで、形成隔壁交点部７ａの比率が１０％より下の場合、上述した効果を十分に発揮することができない。
【００４７】
一方、形成隔壁交点部７ａの比率が５０％を超える場合、一つのセル３に対して四つの流通孔部８が形成されるケースが生じるため、セル３の脱落が発生する可能性がある。そのため、実用に耐え得る目封止ハニカム構造体１の強度を確保するため、上記範囲に形成隔壁交点部７ａの比率が規定されている。
【００４８】
なお、図４に示すように、二つの流通孔部８で三つのセル３が接続された目封止ハニカム構造体１ａを形成するものであっても構わない。同様に、最大で三つの流通孔部で四つのセルが接続された目封止ハニカム構造体（図示しない）を形成するものであっても構わない。図４において、図１で示した目封止ハニカム構造体１と同一構成については、同一符号を付し、詳細な説明は省略する。
【００４９】
係るセル３及び流通孔部８の構造を採用することで、開口率ＯＦＡ及び幾何学的表面積ＧＳＡを更に向上させることができ、圧力損失の低減に更に寄与することができる。一方、一つのセル３に対して四つ以上の流通孔部８を接続したものは、セル３の脱落が発生する可能性があるため、使用することが困難である。
【００５０】
加えて、流通孔部８を形成した隔壁交点部７の配置は、特に限定されるものではなく、例えば、図１で示した本実施形態の目封止ハニカム構造体１に対し、図５に示すように、流通孔部８を形成した隔壁交点部７の位置を交互にした目封止ハニカム構造体１ｂを形成するものであっても構わない。上記と同様に、図５において、図１で示した目封止ハニカム構造体１と同一構成については、同一符号を付し、詳細な説明は省略する。
【００５１】
目封止ハニカム構造体１のハニカム構造部５の材質については、特に限定されるものではないが、強度及び耐熱性等の観点から、例えば、コージェライト成分または炭化珪素成分を含むもの、或いは、窒化珪素成分、アルミナ成分、ムライト成分、及びリチウムアルミニウムシリケート成分などを含むものを使用することが可能である。
【００５２】
特に、コージェライト成分及び炭化珪素成分を含んで構成したものが、従来から周知であるため、好適である。また、目封止部６を形成するための目封止材の材質については、特に限定されるものがない。しかしながら、ハニカム構造部５の材質と同一にすることで、熱膨張率が一致するため、特に好適である。
【００５３】
また、本実施形態の目封止ハニカム構造体１及びその他の別例構成の目封止ハニカム構造体１ａ，１ｂにおいて、それぞれ正四角形状のセル３を区画形成する格子状の隔壁４を備えるものを示したが、これに限定されるものではない。
【００５４】
例えば、図６に示すように、正六角形状のセル１２を区画形成する隔壁１３を備える目封止ハニカム構造体１ｃであっても構わない。この場合、一つのセル１２に対し、その周囲に六つの目封止部１４が配置され、一対の目封止部１４の間を、他のセル１２に向かって延びる流通孔部１５を形成することができる。
【００５５】
なお、正六角形状のセル１２を使用した目封止部１４及び流通孔部１５の配置は、上記に限定されるものではなく、上述の開口率ＯＦＡ、幾何学的表面積ＧＳＡ、及び圧力損失（初期、煤）等を考慮し、最適なレイアウトとすることができる。更に流通孔部１５の孔幅、及び孔壁からの目封止部１４までの最短距離等の相関関係についても任意に設定することができる。
【００５６】
２．目封止ハニカム構造体の製造方法
本実施形態の目封止ハニカム構造体１の製造方法は、周知の目封止ハニカム構造体の製造方法と略同一の製造方法が用いられるため、例えば、成形原料の調整、乾燥、焼成等の各工程については詳細な説明を省略する。なお、本実施形態の目封止ハニカム構造体１の製造方法において、特徴的な事項は、目封止ハニカム構造体１のハニカム構造部５の形状に一致するように形成された成形用口金（図示しない）を用いるものである。これにより、成形原料を押出成形し、流通孔部８に相当する部位を有するハニカム成形体を得ることができ、これを乾燥及び焼成することで、ハニカム構造部５（ハニカム構造体）が得られる。
【００５７】
このとき、予め規定された位置に合わせ、かつ流通孔部８の孔幅Ｗと一致するように、隔壁交点部７の一部に相当する位置が塞がれた成形用口金が使用される。これにより、押出成形の際に、隔壁交点部７の一部に相当する位置が塞がれた成形用口金によって、当該塞がれた箇所の成形原料の押出が規制され、係る部分に流通孔部８を有するハニカム成形体が得られる。
【００５８】
流通孔部８の孔幅や一方の端面２ａ（または他方の端面２ｂ）における隔壁交点部７の合計に対する形成隔壁交点部７ａの数の比率等は、上述した範囲内に規定される。その後、一方の端面２ａ（または他方の端面２ｂ）に対して、所定の配設基準で規定されたセル３に対して目封止部６を設ける。これにより、図１〜図４等に示す本実施形態の目封止ハニカム構造体１の製造が完了する。
【００５９】
以下、本発明の目封止ハニカム構造体の実施例について説明するが、本発明の目封止ハニカム構造体はこれらの実施の形態に特に限定されるものではない。
【実施例】
【００６０】
（１）目封止ハニカム構造体
直径１４４ｍｍ、長さ１５２ｍｍ、隔壁厚さ０．３ｍｍ、セル密度４６個／ｃｍ２、気孔率４１％、平均細孔径１１μｍの多孔質セラミックス材料から形成されるハニカム構造体（ハニカム構造部）をベースに、入口側の端面の一部の隔壁交点部に対し、入口−入口セルの一対のセルの間を接続し、流体の流通を可能とする複数の流通孔部を設け、更に所定の配設基準にしたがって目封止部を設けた目封止ハニカム構造体を作成した（図１参照）。なお、隔壁交点部の全数に対する、流通孔部を設けた隔壁交点部（形成隔壁交点部）の比率は、本実施例において３６％であった。なお、気孔率及び平均細孔径は、マイクロメリティクス製オートポア９４０５型、または、これと同等の装置を用いて測定した値である。
【００６１】
（２）圧力損失の測定、及び設計因子
上記（１）の条件を一定とした目封止ハニカム構造体に対し、流通孔部の孔幅Ｗを設計因子とし、初期状態における圧力損失（以下、「圧力損失（初期）（測定条件：入口ガス温度２５℃，入口ガス流量１０Ｎｍ３／ｍｉｎ、入口ガス圧力１ａｔｍ、煤なし）」と称す。）、及び排気ガス処理後の煤が付着した状態の圧力損失（以下、「圧力損失（煤）（測定条件：入口ガス温度２００℃，入口ガス流量２．７Ｎｍ３／ｍｉｎ，入口ガス圧力１ａｔｍ、４ｇ／Ｌの煤付き）」と称す。）への影響を検討した。なお、圧力損失の測定は、周知のため詳細な説明は省略する。
【００６２】
ここで、流通孔部の孔幅Ｗを変更することにより、開口率ＯＦＡ、幾何学的表面積ＧＳＡ、及び交点部隔壁厚さＴ２が特に影響を受けることになる。また、上記目封止ハニカム構造体は、流通孔部の孔壁と目封止部の交点部までの交点部隔壁厚さＴ２の最小距離が、目封止ハニカム構造体の隔壁の隔壁厚さＴ１の１／２となるように初期条件において設定されている。
【００６３】
図７は、流通孔部の孔幅Ｗに対する入口ＯＦＡ（一方の端面側の開口率）、及び出口（他方の端面側）の交点部の曲率半径Ｒの相関関係を示すグラフである。これによると、流通孔部の孔幅が広くなり、孔幅の比率が増加するに連れて、入口ＯＦＡの値が大きくなり、更に出口の交点部の曲率半径Ｒの値が大きくなる。なお、曲率半径Ｒは、流通孔部の孔幅の比率に対して０．３を超えた当たりからの上昇となる。更に、図８に示されるように、流通孔部の孔幅が交点部の曲率半径Ｒが０ｍｍのときの交点幅に対して１．２倍のときに、圧力損失（初期）（測定条件：入口ガス温度２５℃，入口ガス流量１０Ｎｍ３／ｍｉｎ、入口ガス圧力１ａｔｍ、煤なし）が最小値の４．８３ｋＰａとなることが示された。係る値は、通常のセル構造の目封止ハニカム構造体での圧力損失（初期）（上記と同条件）の値である５．３９ｋＰａと比較して１０％の圧力損失の減少となる。
【００６４】
ここで、流通孔部の孔壁から目封止部の交点部までの交点部隔壁厚さＴ２の最短距離が、目封止ハニカム構造体の隔壁の隔壁厚さＴ１の少なくとも１／２倍以上（Ｔ２≧１／２×Ｔ１）となる条件を満たす必要がある。
【００６５】
更に、流通孔部の孔幅Ｗが小さくなるほど、入口ＧＳＡ（一方の端面側）の値が上昇することが確認され（図９参照）、これに対し、圧力損失（煤）の値が低減することが確認された（図１０）。一方、流通孔部の孔幅Ｗが大きくなると、出口の交点部の曲率半径Ｒが大きくなってしまう。すなわち、交点部と流通孔部の孔壁の間の最短距離として、隔壁厚さの１／２Ｔ１が必要となるためである。このとき、流通孔の孔幅が交点部の曲率半径Ｒが０ｍｍに対して１．２倍のときに、圧力損失（煤）（測定条件：入口ガス温度２００℃，入口ガス流量２．７Ｎｍ３／ｍｉｎ，入口ガス圧力１ａｔｍ、４ｇ／Ｌの煤付き）の圧力損失の値である７．１１ｋＰａは、通常のセル構造の目封止ハニカム構造体の圧力損失（煤）（上記と同条件）の値である７．３１ｋＰａに対して３％の減少であった。
【産業上の利用可能性】
【００６６】
本発明の目封止ハニカム構造体は、自動車のエンジン等から排出される排気ガス中の有害物質を除去するための排気ガス浄化装置や微粒子捕集フィルタ等に好適に利用することができる。
【符号の説明】
【００６７】
１，１ａ，１ｂ，１ｃ：目封止ハニカム構造体、２ａ：一方の端面、２ｂ：他方の端面、３，１２：セル、４，１３：隔壁、５：ハニカム構造部、６，１４：目封止部、７：隔壁交点部、７ａ：形成隔壁交点部（隔壁交点部）、７ｂ：非形成隔壁交点部（隔壁交点部）、８，１５：流通孔部、９ａ，９ｂ：孔壁、１０：交点部、Ｃ１：第一仮想内接円、Ｃ２：第二仮想内接円、Ｄ１：第一仮想内接円の直径、Ｄ２：第二仮想内接円の直径、Ｆ：流体の流れ方向、ＧＳＡ：幾何学的表面積、ＯＦＡ：開口率、Ｔ１：隔壁厚さ、Ｔ２：交点部隔壁厚さ、Ｗ：孔幅（最小孔幅）。
【図１】
0006691388.tif 000002
【図２】
0006691388.tif 000003
【図３】
0006691388.tif 000004
【図４】
0006691388.tif 000005
【図５】
0006691388.tif 000006
【図６】
0006691388.tif 000007
【図７】
0006691388.tif 000008
【図８】
0006691388.tif 000009
【図９】
0006691388.tif 000010
【図１０】
0006691388.tif 000011